(57)【要約】【課題】  機構的安定度に優れ、その使用時も不用意な手からの脱落及び構成部材間の回転が生じにくく、なおかつ敷き均し作業等においてそのプレート部等の水平性を認識し易い、手工具における伸縮柄杆及びその固定機構を提供する。【解決手段】  当該柄杆部はその断面形状が略楕円形もしくは俵形を成し、なおかつ内部パイプが外部パイプに、軸方向に移動自在に挿入されて柄杆部を伸縮自在とする機能を有し、内部及び外部パイプ相互の固定は柄杆部の断面形状に相似した断面形状を有する部材によって成るクランプユニットを当該柄杆部に枢設して構成される。【選択図】    図１
0003110890.tif 000002
【実用新案登録請求の範囲】
【請求項１】
主に舗装工事用レーキ及び農具等の手工具における柄杆部であり、当該柄杆部はその断面形状が略楕円形もしくは俵形を成し、なおかつ内部パイプが外部パイプに、軸方向に移動自在に挿入されて柄杆部を伸縮自在とする機能を有し、内部及び外部パイプ相互の固定は柄杆部の断面形状に相似した断面形状を有する部材によって成るクランプユニットを当該柄杆部に枢設した事を特徴とする、手工具における伸縮柄杆及びその固定機構。
【考案の詳細な説明】
【技術分野】
【０００１】  本考案は主として舗装工事用レーキ及び農具等の手工具の柄杆部及び当該柄杆部の伸縮・固定機構及びそれらの形状に関するものである。
【背景技術】
【０００２】  舗装工事用レーキ及び農具等の柄杆部においては、従来伸縮機能を有しないものでは主に円形断面の、伸縮機能を有するものでは円形、又は断面の一部に回転防止のためのスリット、あるいは直線部を設けた分銅形様の断面を持つものがあり、その固定機構であるクランプユニットは概ね円形断面を拘束する形状を持つ部材を採用して構成されていた。
【考案の開示】
【考案が解決しようとする課題】
【０００３】  回転防止機能を有しない円形断面の柄杆においては、作業中の衝撃、荷重、作用力等により内部、外部パイプ間の固定部にゆるみが生じ、結果柄杆の軸方向を中心とした柄杆材間の回転が生じやすく、作業ミス等を誘発していた。
また回転防止機能を有する断面を持つ柄杆においても、その大まかな断面形状は円形であるため作業においての滑り易さは改善できず、なおかつ特に舗装工事におけるアスファルト等の敷き均し作業での、レーキプレート部の水平性の確保に支障をきたしている。
【課題を解決しようとする手段】
【０００４】  その断面形状が略楕円形もしくは俵形を成した柄杆部であり、なおかつ内部パイプが外部パイプに、軸方向に移動自在に挿入されて柄杆部を伸縮自在とする機能を有し、内部及び外部パイプ相互の固定は柄杆部の断面形状に相似した断面形状を有する部材によって成るクランプユニットを当該柄杆部に枢設した事を特徴とする、手工具における伸縮柄杆及びその固定機構を採用する事により解決する。
【考案の効果】
【０００５】  本考案によればその柄杆部の断面形状が長軸、短軸を持つ略楕円形、あるいは俵形であるため、円形断面に比し握った場合異方性を認識し易く、敷き均し作業においてプレート部の水平性を確保し易い。且つ、断面における長軸方向を作業において力のかかる頻度の高い方向、つまりプレート部の長辺に対する鉛直方向に設定する事により、作業中かかる力に対する強度が向上する。
又、同じく円形断面に比し作業中の滑りが生じにくく、柄杆部自体のゆるみによる回転が生じにくい。
【考案を実施する為の最良の形態】
【０００６】  柄杆部は主にアルミ等の金属がゴム等により被覆され形成されるが、所定の強度が確保されるならば樹脂、木等の採用も可能である。
【０００７】  又、クランプユニット各構成部材は主にアルミを主とする合金及び樹脂を適所に配して形成されるが、前述と同じくそれぞれが所定の強度を確保する上で、他素材の採用も可能である。
【０００８】  以下、本考案の実施の形態を図面に基づいて説明する。図１及び図２に示される如く本考案にかかる伸縮柄杆及びその固定機構は主に符号１である柄杆部と符号３であるクランプユニットにより構成される。
【０００９】  柄杆部の構成は符号２ａである内部パイプが、相似かつ大径の断面形状を持つ符号２ｂである外部パイプに、軸方向に移動自在に挿入されて成る。
【００１０】  それにより使用時はその作業の種類、作業場所の条件により柄杆部を最適な長さに調整する事が可能になる。
【００１１】  又、当該柄杆部における断面の長軸方向を作業において力のかかる頻度の高い方向に設定する事により、作業中かかる力に対する強度を向上させる事ができる。
【００１２】  又、図３及び図４に示される如く外部パイプの後述クランプユニットの枢設部付近には、固定機能達成のための符号２ｃであるスリットが一定の長さをもってクランプユニットの押当リングのスリットに対応した位置に１箇所、もしくはその軸線上に２箇所設けられる。
【００１３】  次に柄杆部を所定の長さで固定するクランプユニットは、外部パイプの内部パイプ挿入部側末端付近に枢設される。
【００１４】  当該クランプユニットを構成する符号３ａである押当リングの断面形状は図３及び図４に示される如く全体として柄杆部の断面形状に相似した略楕円形、もしくは俵形状を成し、かつその一部に符号４であるスリットが形成された略Ｃ形を成している。
【００１５】  そしてその末端部には符号３ｇ及び３ｈに示される、符号３ｉであるロックボルト貫通孔を有する一対の凸片部が突設される。
【００１６】  凸片部相互は所定の間隔をもって平行に配されているため、凸片部間には符号４であるスリットが形成され、なおかつ凸片部の貫通孔は同一の中心軸を持つため、棒状部材である符号３ｃであるロックボルトが双方の貫通孔を挿通する事ができる。
【００１７】  符号３ｂであるロックレバーは、ロックボルトと符号３ｄである接続シャフトを介して接続される。接続シャフトはロックレバー接続側端部に挿設され、当該接続シャフトの中心軸がロックレバーの回転軸となる。
【００１８】  この時図４に示される如く接続シャフトは、一部円弧状の外形を有するロックレバー接続側端部の、当該円弧の中心より偏心した位置に挿設される。
【００１９】  そのためロックレバーを図４に示されたイ方向に引き下げれば、カム作用により符号３ｈである凸片部Ｂはハ方向に押され、符号４であるスリット部が狭まる事によって押当リングと符号２ａである外部パイプは強固に密着する。
【００２０】  なおかつ外部パイプに設けられた符号２ｃであるスリットも同時に狭くなるため、力は外部パイプを介して内部パイプに伝わり、結果内部及び外部パイプが所定の位置で固定される。
【００２１】  この時押当リングの断面形状が柄杆部の断面形状に相似した楕円形もしくは俵形であるため、パイプの全周囲に均等に力が伝わり、安定した良好な固定状態が得られる。
【００２２】  固定状態を解放する場合はロックレバーを図４に示されたロ方向に引き上げれば、前述と逆の作用によって押当リング及び内部、外部パイプの密着状態が解ける事となる。
【００２３】  なお当説明及び図面に示す例以外に、その基本構成及び機構の要諦を逸脱しない範囲においては、それらの細部の形状、部品構成、あるいは素材は様々な変形例、一体化等が考えられるため、それらが本考案の範囲から外れるものでは無いとみなされるものとする。
【図面の簡単な説明】
【００２４】
【図１】は本考案にかかる伸縮柄杆及び固定機構の斜視図である。
【図２】は本考案にかかる伸縮柄杆及び固定機構の平面図である。
【図３】は本考案にかかる伸縮柄杆及び固定機構のクランプユニット部の構成を詳細に表した斜視図である。
【図４】は本考案にかかる伸縮柄杆及び固定機構を図２Ａ−Ａ線で切断した断面詳細図である。
【図５】は本考案にかかる伸縮柄杆の伸縮する様態を連続的に表した参考平面図である。
【符号の説明】
１は柄杆部もしくは物品における本考案に係る範囲
２ａは内部パイプ
２ｂは外部パイプ
２ｃは外部パイプのスリット
３はクランプユニット
３ａは押当リング
３ｂはロックレバー
３ｃはロックボルト
３ｄは接続シャフト
３ｅは座金Ａ
３ｆは座金Ｂ
３ｇは凸片部Ａ
３ｈは凸片部Ｂ
３ｉはロックボルト貫通孔
４は押当リングのスリット
【図１】
0003110890.tif 000003
【図２】
0003110890.tif 000004
【図３】
0003110890.tif 000005
【図４】
0003110890.tif 000006
【図５】
0003110890.tif 000007